(57)【要約】【課題】歩行者と衝突することを防止する目的で、自転車、３輪車、ローラースケートなどに接近したことを知らせる警報を取り付ける。【解決手段】電源、電子回路、圧電変換素子、リード線、スイッチ等を自転車のハンドルの握り部やローラースケートの靴の後部に組み込み、使用者がスイッチを押すかまたは靴を後部へ傾けることによってスイッチを入れて圧電変換素子から音響警報を発生する。【選択図】図７
2005506161.tif 000002
【特許請求の範囲】
【請求項１】
個人輸送手段の本体、またはフレーム、または握りに挿入された音響放射アセンブリであって
電子的に作動する音響発生器、音響発生器に信号を供給する電子回路および電力貯蔵源を含むパッケージと、
使用者によってスイッチが入れられたときにスイッチから離れた位置の本体、またはフレーム、または握りから音響が放射されるようにパッケージから分離され、パッケージと電気線路で連結された作動スイッチ
を含む音響放射アセンブリ。
【請求項２】
請求項１に記載された音響放射アセンブリを含む握りであって、管の端の上でかつ管状ハンドルバーの端の中にスライドして挿入されるように適合された握りで、
前記ハンドルバーの前記端部の外表面に保持されるように適合され、近端が管の端または端近傍にあり、遠端が管の端から離れた管の外側に沿って配置される握り部と、
ハンドルバーの端部の内側に保持されるように適合された前記電子部品および電源のパッケージで、近端が管の端または端近傍にあり、遠端が管の端部の内側に、かつ管の端からは離れた位置に配置された前記パッケージと、
管の端からは離れた位置の握り部に配置された前記作動スイッチと
を有している握り。
【請求項３】
握り部がスイッチを覆う柔軟な材料を含み、スイッチを覆う箇所で握りをディジタルに押すことによってスイッチが作動される請求項２に記載されている握り。
【請求項４】
前記柔軟な材料が弾性のある発泡体を含む請求項３に記載されている握り。
【請求項５】
電気的通路が管の端で管の内部から外部へ通過し、握り部の下部を通過してスイッチに至る導体線または板を含んでいる、請求項２から４のいずれか１項に記載されている握り。
【請求項６】
その中にスイッチと電子部品パッケージの間の電気通路を提供する導体素子を収容するために握り部に溝または溝穴が刻まれている、請求項２から５のいずれか１項に記載されている握り。
【請求項７】
前記電子部品および電源のパッケージが前記近端に圧電音響発生器を含み、音響発生器で発生された音響が前記管の端から放射される、請求項２から６のいずれか１項に記載されている握り。
【請求項８】
前記電子部品および電源のパッケージは前記遠端で閉じたパッケージケースを含み、前記近端に取り外し可能なエンドキャップを有し、エンドキャップを取り外すことによって管の中からパッケージの他の部分を取り外すことなく電源を交換することを可能にする、請求項２から７のいずれか１項に記載されている握り。
【請求項９】
前記エンドキャップが圧電音響発生器を含んでいる、請求項８に記載されている握り。
【請求項１０】
電源はフレーム内に1つまたはそれ以上の電池を含んでいて、エンドキャップが取り外されたとき、フレームは少なくとも本質的にパッケージから引き出すことができ、パッケージケースが管の中に留まったまま、かつフレームが電気的にスイッチに接続されたまま電池が交換される、請求項８または９に記載されている握り。
【請求項１１】
台車がそれに固定されたデッキおよび請求項１に記載の音響放射アセンブリを含むスケートボードであって、パッケージ電子部品および電源は台車の中に保持され、前記作動スイッチはデッキの一部を押すことによって作動されるスケートボード。
【請求項１２】
音響放射デバイスが挿入された本体、またはフレーム、または握りを含む個人輸送手段であって、前記デバイスは
電子的に作動する音響放射器、音響放射器に信号を供給する電子回路および電力貯蔵源を含むパッケージと、
使用者によってスイッチが入れられたときにスイッチから離れた位置の本体から音響が放射されるようにパッケージから分離され、パッケージと電気線路で連結された作動スイッチと
を含む個人輸送手段。
【請求項１３】
管の縁端で終了する端部を有し、その上に握りが取り付けられる管状のハンドルバーを含み、前記握りは
ハンドルバーの管の外側表面に保持されるように適合された握り部と、
ハンドルバーの端部の内側に保持される前記電子部品および電源のパッケージを含むケースで、近端が管の端または端近傍にあり、遠端が管の端部の内側に、かつ管の端からは離れた位置に配置されたパッケージを含むケースと、
管の端からは離れた位置の握り部に配置された前記作動スイッチと
を含む、請求項１２に記載されている個人輸送手段。
【請求項１４】
台車に搭載された車輪を有し、台車がスケートボードの下側に取り付けられたスケートボードを含み、さらに
前記電子部品と電源のパッケージは少なくとも一部が台車の筐体の中に収容され、
前記作動スイッチがデッキの上側に配置されている
請求項１３に記載されている個人輸送手段。
【請求項１５】
さらに車輪が軸フレームに搭載され、軸フレームが弾性的に軸支持部に取り付けられ、軸支持部がスケートボードデッキの下側に取り付けられたスケートボードを含み、さらに
前記電子部品と電源のパッケージは少なくとも一部が軸支持部の筐体の中に収容され、
前記作動スイッチがデッキの上側に配置されている
請求項１３に記載されている個人輸送手段。
【請求項１６】
前記電子部品および電源のパッケージは一部が軸支持部の前記筐体中および一部がデッキの下側に形成された近接する窪みに収容されている請求項１５に記載されているスケートボード。
【請求項１７】
前記電子部品および電源が軸支持部の筐体内に収容されている請求項１６に記載されているスケートボード。
【請求項１８】
電源は乾電池または充電電池で、筐体内部に前記筐体の側面に設けられたアクセスキャップを取り外すことによって挿入される請求項１６または１７に記載されているスケートボード。
【請求項１９】
音響放射デバイスが軸支持部の筐体内に搭載された圧電音響発生器である、請求項１６から１８のいずれか１項に記載されているスケートボード。
【請求項２０】
圧電音響発生器が本質的に軸の縦軸の上に直接配置された１つまたは複数の開口を経由してその音響の大半を提供するように搭載されている、請求項１９に記載されているスケートボード。
【請求項２１】
前記電気通路が軸支持部をデッキに固定するためのねじの間の中心に形成された孔を経由して軸支持部の筐体にアクセスできる、請求項１７から１９のいずれか１項に記載されているスケートボード。
【請求項２２】
音響放射アセンブリを含み、ハンドルバーの端部に挿入されるように適合された握りであって、その中に圧電変換器、変換器が雑音を発生するための信号を発生する電子回路、電源、および前記信号を選択的に圧電変換器に供給する作動スイッチを収容する本体を含んでいる握り。
【請求項２３】
請求項１に記載されている音響放射アセンブリを含んでいるローラーブレード。
【請求項２４】
図１を参照して本質的にこの明細書に説明されている握り。
【請求項２５】
図３から５を参照して本質的にこの明細書に説明されている握り。
【請求項２６】
図１４を参照して本質的にこの明細書に説明されている握り。
【請求項２７】
図６を参照して本質的にこの明細書に説明されているスケートボード。
【請求項２８】
図７から９を参照して本質的にこの明細書に説明されているスケートボード。
【請求項２９】
図１０から１３を参照して本質的にこの明細書に説明されているローラーブレード。
【発明の詳細な説明】
【技術分野】
【０００１】
本発明は人を輸送する手段の上または内部に可聴音響放射デバイスを組み込むことに関する。１つの適用では管状のフレームを有する自転車、３輪車、車椅子および他の輸送手段への特別な応用を有するが他の適用はスケートボード、ローラースケートなどへ特に適用が可能である。音響放出デバイスは警報、警報デバイス、または挨拶や識別の手段として使用することが可能である。
【０００２】
自転車および３輪車に使用するための広範囲の警報デバイスが市場で利用可能である。これらは従来の自転車のベルおよびゴムのバルブを備えた空気の警笛を含んでいる。また従来の自転車のベルとほとんど同様にハンドルバーに取り付け、電池から電源が供給されたブザーで、ブザーケースの上にボタンを有し、押されたときにケースから適切な騒音を発生するブザーも知られている。
【０００３】
既存の警報デバイスは自転車のフレームから本質的に突き出しており、要素または衝撃から保護されておらず、機械のきれいな線を損ねている。
【０００４】
本発明の１つの側面の目的は自転車のような輸送手段の管状フレーム上の上述の困難を克服する警報デバイスとして使用できる音響放射デバイスを提供することである。
【０００５】
スケートボード、ローラースケートおよびローラーブレードの使用は増加しており、このことは歩行者との衝突の増加に関連している。そのような衝突はしばしば特に年配の歩行者の大きなけがの原因となっている。これらのスポーツおよび個人輸送手段の使用者は若い人である傾向があり、そのような衝撃に適応し、即応力があり、しばしば高速で移動するので、衝突を防止するためには警報デバイスが重要であることがわかる。
【０００６】
いろいろな場所で自転車に適合した警報デバイスを持つことが必須であり、そのような警報デバイスがスケートボード、ローラーブレードなどで利用できることが望まれ、通常の歩行者の通行エリアでそのような警報デバイスを備え付けることが強制的になるかもしれない。
【０００７】
本発明の１つの側面の目的は警報デバイスとして使用することが可能で、ローラースケート、ローラーブレードの靴本体またはスケートボードの本体に組み込むことができ、使用者によって容易に作動でき、それらの接近を適切な可聴警報で提供できる音響放射デバイスであって、スケートボード、ローラーブレードなどが許容されているようなしばしば乱暴な取扱いをされても物理的に損傷しないように前記本体に本質的に保護されて組み込まれている音響放射デバイスを提供することである。
【０００８】
自転車、スケートボード、ローラーブレードなどの個人輸送手段の使用者はしばしば彼らの装置をパーソナナライズしたいと思う。本発明の１つの側面の目的はそのような個人輸送手段の所有者がそのような装置に音楽のメロディまたは他の予め設定された音響、または使用者によって選択された音響を生じる音響放射デバイスを組み込むことによってパーソナライズすることができる手段を提供することである。そのような音響は警報または警報デバイス、または単に識別、挨拶、または自己表現の手段として機能するであろう。
【０００９】
従って、１つの側面で発明は個人輸送手段の本体、またはフレーム、または握りに挿入された音響放射アセンブリを提供し、前記アセンブリは次のものを含んでいる。
(i) 電子的に作動する音響発生器、音響発生器に信号を供給する電子回路および電力貯蔵源とを含むパッケージと、
(ii) 使用者によってスイッチが入れられたときにスイッチから離れた位置の本体、またはフレーム、または握りから音響が放射されるようにパッケージから分離され、パッケージと電気線路で連結された作動スイッチ。
【００１０】
もう1つの側面で、発明は請求項１に記載された音響放射アセンブリを含む握りであって、管の端で管状のハンドルバーの端にスライドして挿入されるように適合された握りを提供し、握りは次のものを有している。
(i) 前記ハンドルバーの前記端部の外表面に保持されるように適合され、近端が管の端または端近傍にあり、遠端が管の端から離れた管の外側に沿って配置される握り部と、
(ii) ハンドルバーの端部の内側に保持されるように適合された前記電子部品および電源のパッケージで、近端が管の端または端近傍にあり、遠端が管の端部の内側に、かつ管の端からは離れた位置に配置された前記パッケージと、
(iii) 管の端からは離れた位置の握り部に配置された前記作動スイッチ。
【００１１】
握り部はスイッチを覆った、例えば弾力性のある発泡材のような柔軟な材料で構成されてよく、スイッチはスイッチを覆う握りをディジタルに押すことによって作動される。握り部は溝または溝穴が形成され、その中に導体要素を配置してスイッチと電子部品のパッケージ間の電気的通路を提供する。
【００１２】
電気的通路は管の端で管の内部から外部へ通過し、握り部の下部を通過してスイッチに至る導体線または板を含んでいる
【００１３】
電子部品および電源のパッケージは前記近端に圧電音響発生器を含んでよく、音響発生器から発生された音響は前記管の端から放射される。
【００１４】
電子部品および電源のパッケージは前記遠端で閉じたパッケージケースを含んでよく、前記近端に取り外し可能なエンドキャップを有し、エンドキャップを取り外すことによって管の中からパッケージの他の部分を取り外すことなく電源を交換することを可能にする。前記エンドキャップは圧電音響発生器を含んでいても良い。
【００１５】
電源はフレーム内に1つまたはそれ以上の電池を含んでいても良く、エンドキャップが取り外されたとき、フレームは少なくとも本質的にパッケージから引き出すことができ、パッケージケースが管の中に留まったまま、かつフレームが電気的にスイッチに接続されたまま電池が交換される。
【００１６】
もう1つの側面で、本発明は台車がそれに固定されたデッキおよび音響放射アセンブリを含むスケートボードを提供し、パッケージ電子部品および電源は台車の中に保持され、前記作動スイッチはデッキの一部を押すことによって作動される。
【００１７】
もう1つの側面で、本発明は音響放射デバイスが挿入された本体、またはフレーム、または握りを含む個人輸送手段を提供し、前記デバイスは次のものを含む。
(i) 電子的に作動する音響放射器、音響放射器に信号を供給する電子回路および電力貯蔵源を含むパッケージと、
(ii) 使用者によってスイッチが入れられたときにスイッチから離れた位置の本体から音響が放射されるようにパッケージから分離され、パッケージと電気線路で連結された作動スイッチ。
【００１８】
個人輸送手段は管の縁端で終了する端部を有し、その上に握りが取り付けられる管状のハンドルバーを含んでよく、前記握りは次のものを含む。
ハンドルバーの管の外側表面に保持されるように適合された握り部と、
ハンドルバーの端部の内側に保持される前記電子部品および電源のパッケージを含むケースで、近端が管の端または端近傍にあり、遠端が管の端部の内側に、かつ管の端からは離れた位置に配置されたパッケージを含むケースと、
管の端からは離れた位置の握り部に配置された前記作動スイッチ。
【００１９】
個人輸送手段は台車に搭載された車輪を有し、台車がスケートボードの下側に取り付けられたスケートボードを含んでよく、さらに、
前記電子部品と電源のパッケージは少なくとも一部が台車の筐体の中に収容され、
前記作動スイッチがデッキの上側に配置されている。
【００２０】
個人輸送手段はさらに車輪が軸フレームに搭載され、軸フレームが弾性的に軸支持部に取り付けられ、軸支持部がスケートボードデッキの下側に取り付けられたスケートボードを含んでいてもよく、さらに
前記電子部品と電源のパッケージは少なくとも一部が軸支持部の筐体の中に収容され、
前記作動スイッチがデッキの上側に配置されている。
【００２１】
電子部品および電源のパッケージは一部が軸支持部の前記筐体中および一部がデッキの下側に形成された近接する窪みに収容されていてもよい。
【００２２】
電源は乾電池または充電電池で、筐体内部に前記筐体の側面に設けられたアクセスキャップを取り外すことによって挿入されてもよい。
【００２３】
音響放射デバイスは軸支持部中の筐体中に搭載された圧電音響発生器であってよい。圧電音響発生器は本質的に軸の縦軸の上に直接配置された１つまたは複数の開口を経由してその音響の大半を提供するように搭載されている。電気通路は軸支持部をデッキに固定するねじの間の中心部に形成された孔を経由して軸支持部中の筐体にアクセスすることができてもよい。
【００２４】
もう1つの側面で、本発明は音響放射アセンブリを含み、ハンドルバーの端部に挿入されるように適合された握りを提供し、その握りはその中に圧電変換器、変換器が騒音を発生するための信号を発生する電子回路、電源、および前記信号を選択的に圧電変換器に供給する作動スイッチを収容する本体を含んでいる。
【００２５】
音響放射デバイスは歩行者および他の輸送手段の使用者に対する警報の役目をするように十分大きな音響を生成してもよい。
【００２６】
自転車、３輪車、または他のハンドルバー付きの車両で使用されたとき、音響放射器、信号発生器および電池を含むパッケージは好ましくは一般に管状のハンドルバーに挿入される円筒形部を含み、管状のハンドルバーの外側の作動スイッチを備えている。好ましくはパッケージの一端はハンドルバーの一端と同一平面に保持され、好ましくはパッケージのその一端は前記音響放射器を含んでいる。前記パッケージおよびスイッチを接続する電気通路は１つまたは複数の線または金属ストリップまたは金属を付けたフィルムのような層状の導体ストリップを含み、電気通路はハンドルバーの端から延長され、ハンドルバーへ挿入された握りの下を通過し、ボタン、または押しパッドの形状をし、握りの内部端で使用者の親指または他の指で作動するのに便利なように配置されたスイッチに接続されている。またはスイッチは前記パッケージ内の油圧または空気圧作動の電子部品を提供してもよい。
【００２７】
スイッチは都合のよいいかなる形状をしていても良いが好ましくは連続的にその上に圧力を加えることによって「回路が接続」され、圧力が停止したときに「回路の接続が遮断」される位置に保持される。
【発明を実施するための最良の形態】
【００２８】
図１を参照して、発明の１つの実施例は自転車のハンドルバーの一端に取り付けられた図示された握り８の形態をとっている。握り８は警報デバイスとしての役目を演じることができる音響放射デバイスを組み込んでいる。握り８は柔らかい弾力性発泡体材料で作られ、ハンドルバー管９の外側に被せられた握り部７およびハンドルバー管９の内部に挿入して取り付けられた内部パッケージ部１０を有している。パッケージ１０は１つの閉じた端１３で形成された管状のケース１１を有している。ケース１１の半端側の端は開かれて管状の口１５を形成している。
【００２９】
円板状の圧電ラウドスピーカ１２（ブザー）がその同軸をケースの一般軸と一致させて配置されている。ブザー１２は標準の、市販で入手できる圧電薄片から構成され、モールドプラスチックの音響増強チャンバ内に搭載され、円形表面上の中央に音響の分散を補助するための単一の孔２３を有している。ブザー１２はケース１１の口１５をふさぎ、圧力取り付け接続手段によって取り外し可能に固定されている。この他にバイオネット接続またはねじ接続も使用することができるがクリックロック圧力取り付け接続が好ましい。オプションとして孔のあけられたカバー２５がブザー２２の表面に取り付けられてもよい。わかり易くするためにカバー２５は図１で外されて示されている。
【００３０】
ブザー１２の隣りでかつケース１１の内部で単一のＡ２３ Ｅ２３Ａの１２V電池が電池受け台１７にモールド形成されたばねの利いたコンタクト１８と２０の間で電池受け台１７の中に保持されている。電池１６の隣りには信号発生のための電子回路アセンブリ１４がある（プリント基板１９および変圧器２１を含む）。コンタクト１８および２０はアセンブリ１４内で電気的に電子回路と接続されている。
【００３１】
ブザー１２のケースは管９の薄い軸端面（または縁）３０を越えて突き出し、ブザーがハンドルバーの端まで押されすぎることを防止するために円周方向外側に突き出ているフランジ２８を有している。薄い金属のストリップ２４が管９および円板状のブザー１２の間に割り込まされ、折り返されて握り８の長さの大半に渡って延長され、ケース１１の長さより少し長く配置されている。ストリップ２４の自由端に１つのスイッチ２６が配置されている。これは「通常開放押しボタン」スイッチである。
【００３２】
使用に際しては全体の円筒パッケージ１０（管状のケース１１およびブザー１２を含む）はケース１１がハンドルバーの管の中にあり、ストリップ２４がハンドルバーの管の外に沿って配置されるようにハンドルバーの管９の中に挿入される。次に通常の発泡体または他のタイプの握りがハンドルバーの端部の上に配置され、ストリップ２４および作動スイッチ２６が覆われる。
【００３３】
１台の自転車は上述の音響放射デバイスをハンドルバーの両側に使用してもよいがそのような２つの握りは必ずしも必要ではない。音響放射握りは1つだけで、もう一方の電子部品なしの、対となる可視警報と一緒に使用されても良い。
【００３４】
ストリップ２４のバルク材料は電気的に導体でスイッチ２６を含む電気回路を形成し、電気回路はハンドルバーの金属部分で完結され、スイッチは比較的簡単な開閉デバイスでハンドルバーの外側に設置される。しかしながら、ストリップ２４がスイッチ２６までの両方の導体通路を搭載していることが望ましく、そのような実施例ではストリップはその上に適切な導体線または他の通路を備えているプラスチックまたは他の電気的絶縁体で作られていることが望ましい。そのような好ましい配置は電気接続の信頼性の向上を提供するだろう。
【００３５】
電子アセンブリ１４の内容を構築するために必要な電子部品と回路は図２より当業者にとっては容易に明白なことである。使用された集積回路はフィリップス社製のＨＥＦ ４０６９ＵＢＰ ９８０８７０ＰＳ Ｈｎｎ９３４８Ｐ３である。変圧器はオーストラリアのジェイカールエレクトロニクスによってカタログ番号Ｍ２５３２として販売され、一次／二次は１ｋΩｃｔ／８Ωである。圧電変換器はキングスゲートのＫＰＥ-８１２で注文番号は９２７−０６５である。
【００３６】
図１に示された実施例の構成の理解を容易にするために、図１からいくつかの電子部品が省略されていることに注目していただきたい。特にプリント基板１９に取り付けられているであろう集積回路チップ、抵抗、ダイオードおよびコンデンサは図示されていない。変圧器２１は図示されていない部品に比べて大きな体積を有しているので示されている。
【００３７】
図３から５を参照して、最初に簡潔のために図３ではハンドルバーの金属管が省略されていることにご注意ください。図３に示された発明の実施例では図１に示されたそれと次の主要な違いを有している。
１．図１でのもっとありふれた形状の変圧器の代わりにトロイダル変圧器３００が使用されている。
２．プリント基板（PCB)３２は管状ケース３１の全体の長さに渡っており、電池交換の際にもその両端が固定されたままである。より強固な信頼性の高い構造が結果として得られる。
３．電池２６のための電池受け台２７がケース３１からスライドして出るとき、電池受け台２７は側面のフランジ３３によって支持され、フランジ３３はケース３１の壁にモールド形成された平行リブ３４の各対の間でスライドして保持される。
４．押しボタンスイッチ３５は発泡体握り部３７中の局部的膨らみ部３６の中の窪みに配置される。
これは図１に示された配置よりさらに確実にスイッチを保持する。
５．スイッチ３５は一対の線によってPCBに電気的に連結されている。一方図１では金属のストリップが使用されていた。線３８は発泡体握り部３７中に形成され、発泡体の内部壁３２に対して開口している縦方向の溝またはチャンネルの中を通されている。
【００３８】
実際の圧電変換器は図３から５には示されていない。圧電変換器は円形の薄片形状部品でブザー１２の本体２９と本体２９が溶接される電池受け台２７の端フランジとの間に保持される。圧電素子の２つのリード線は端フランジ中の一対の孔３２を経由してアクセスできる。
【００３９】
発明の第2の適合はスケートボードへの使用である。図６を参照して、スケートボード４０は木製または複合ポリマー材料から作られた一般に平らな主本体またはデッキ４２を含む上部を有し、デッキ４２の下部４８に接触して取り付けられた２対の車輪４４、４６を備えている。各車輪の対４４、４６は軸フレーム５２上に搭載された対応する短軸に取り付けられ、軸フレーム５２は弾性的に各マウントまたは支柱または軸サポート５６に取り付けられ、軸サポート５６はねじ５８によってスケートボードのデッキ４２の下部に固定されている。ねじ５８はマウント５６の孔５９のねじ山にねじ込まれているか、またはナット（図示されていない）で保持される。用語に関連して、用語「マウント」、「支柱」、「軸サポート」は互換性をもって使用されている。このことはまた全ての車台構造についても共通である（例えば、軸フレームは軸を含み、軸サポートを加えて「台車」と呼ばれている）。
【００４０】
電子回路、電池および音響放射器を含むパッケージ６２はデッキ４２中の矩形の切り抜き６４と１つの支柱５５の中の窪みの組み合わせによって提供される空間の中に収容されている。切り込み６４は窪み６６のすぐ上に重畳し、それらの組み合わせで生成された空間はその目的のために十分である。中央に配置されていることはまた電子部品が比較的良く保護されていることを意味する。
【００４１】
作動スイッチ６８はスケートボードの端に近い位置で本体４２に切り込まれた窪み７０の中に適切に固定される。スイッチ６８は窪み７０から窪み６６まで最上部表面５０に切られた浅い溝または溝穴７４の中を走る線７２、導電ストリップ等によってパッケージ６２に接続されている。そのような電気接続が印刷された導体ストリップを搭載した平らなストリップで提供される場合には、最上部表面５０に窪みを形成する必要がないかもしれない。
【００４２】
スケートボードの端近くにスイッチ６８を配置することで、より中央の位置に比べて使用者にスイッチの使い易さの改良を提供する。
スケートボードの端よりも少し内側にスイッチ６８を配置することでスイッチを衝撃や摩耗からよりよく保護する。スイッチ６８をこのようにパッケージ６２から分離することで、各々の最適配置が可能になる。
【００４３】
主本体（またはデッキ）４２の最上部５０は殆ど全体がスケートボードの上表面に接着された柔軟な被覆シート６０で覆われている。シート６０はブザー１２およびスイッチ６８を覆っている。シート材料はそれを通してスイッチが作動でき、さらにそれを通してブザーの騒音が効果的に通過できるように薄くて、柔軟で十分に弾性がある。繰り返し使用に耐えるポリマーシートが好ましい。シートはその上に適切な装飾デザインがプリントされていてもよく、および／または使用中に足の保持を容易にするために１つまたはそれ以上の重ねて織られた表面（サンドペーパのような）領域を有していてもよい。生成される音響レベルを増加させるために切り込み６４のすぐ上のシート６０にいくつかの小さな穿孔を備えてもよい。
【００４４】
スケートボードと共に使用する上記の実施例の１つの変形として電子回路および電池を含むパッケージは１つの支柱の窪み中に収容され、音響放射器およびスイッチはスケートボードの上側の本体に切り込まれた１つの発泡体取り付け窪み、または各発泡体取り付け窪みに収容されていてもよい。音響放射器をこのような方法で配置することはさらにより良い保護を提供する可能性がある。
【００４５】
代わりに適切な小さな部品を使用することによって電子回路、電池、音響放射器およびスイッチを全てスケートボードの上側の本体中の切り込まれた窪みに収容してもよい。
【００４６】
また代わりに、電子回路、電池および音響放射器を含むパッケージは車輪が回転する軸を保持する１つの支柱の中の窪みに収容してもよい。これは図７から９に示されている。
【００４７】
図７から９を参照して、そこに示されたスケートボード９０は木製または複合ポリマー材料から作られた一般に平らな主本体またはデッキ９２上部を含み、デッキ９２に取り付けられた台車９５および９７に搭載された２対の車輪９４および９６を備えている。各車輪の対９４、９６は軸フレーム１０２上に搭載された対応する短軸に取り付けられ、軸フレーム５２は弾性的に各軸サポート１０６に取り付けられ、軸サポート５６はねじ１０８によってデッキ９２の下部に固定されている。
【００４８】
電子回路、電池および音響放射器を含むパッケージは軸サポート１０６の中の複雑な形状を有する窪み１１６の中に収容されている。窪みは台車の軸サポートの上部に入る矩形断面を有する部分１２０を含んでいる。窪み１２０はいろいろな電子部品が本体部１０６の側で半田付けされたプリント基板１２１を適切に受け入れる大きさである。
【００４９】
円筒形の空洞１２２が電池１２７を受け入れ、電池は必要な電気接続を提供するねじ止めキャップによってその位置に保持される。また本体部１０６側には圧電ブザー１２９を収容する円筒形空洞１２４が配置され、円筒形ブザー１２９はねじ付きキャップ１２５によってその位置に保持される。キャップ１２５は音響が透過するけれども水が浸入に対して抵抗を備えた十分小さな孔を有している。円筒形孔１２２および１２４は衝撃による損傷が少ない台車領域の台車の側面の中へ開けられている。また孔１２４は関連する車輪９６の車軸の縦軸の本質的に真上に配置されており、この位置は物理的損傷から本質的に保護を提供する。
【００５０】
スイッチは覆いシート１１０の上に円形の押しパッド１１８の形状で貼り付けられており、その直径はスケートボードの約７０％である。スイッチ１１８はそこから伸びる２対のリード１１９を備えており、その１つは覆いシート１１０の孔１３３、デッキの孔１３２、およびプリント基板の孔１３１の各連続した孔を下へ貫通し、そこで簡単な差込接続によってプリント基板１２１の下側へ接続される。アクセス孔を４つのねじ孔１３５の中心に配置することによって、スケートボードの所有者がリード１１９のための一連の孔をずれがゼロになるように位置決めするためにデッキおよびカバーを貫通する孔を正確に配置することを容易にする。各４つの孔１０９の中心はまたデッキの屈曲が最小になる位置であり、その結果さらに損傷の可能性を最小化する。
【００５１】
図７に示されたスケートボード９０は各台車の上に１つずつで２つの音響発生器付きで示されており、そのために２つの関連するリードが示されているが、本発明は台車の１つだけが音響発生部品を有し、従って単一のリード１１９が要求される場合も想定している。もちろんスケートボードの所有者は希望するとおり適切な台車および音響発生装置を１台または対で追加することができ、またそれらは個々に置換え可能である。
【００５２】
第３の発明の広い実施例は、ローラーブレードと共に使用するために適合され、図１０から１３を参照して説明される。電子回路、電池、スイッチおよび音響放射器の全てがローラーブレード靴１７８のかかとの領域から後方へ延長されるブレーキ支持構造１８０の中または上に収容されている。スイッチ１９０はブレーキ支持構造１８０から後方かつ下方に突き出している薄い弾性のあるレバー１８４で作動され、靴が後方へ傾けられたときに（図１１に示されているように）レバー１８４が地面１８６によってコンタクト位置に押されて警報／信号音響が発生される。このコンタクトはゴムのブレーキブロック１９４が地面とコンタクトして制動力を提供する前に実行される。警報デバイスはこのようにしていかなる制動力を印加することなく作動されることが可能である。レバー１８４の上部端はスイッチ本体１９０のボタン１９１を押し、このボタンはレバーがボタンを押さなくなったとき、スプリングによって復帰する。
【００５３】
レバー１８４は薄いばねの鋼鉄製の線から形成されており、その中央部１８８はコイルばねを形成し、スイッチ１９０を作動させるために必要とされるその部分から先端を本質的に偏向させることを可能にする。そのようなさらなる偏向は制動をかける際にも発生するであろう。摩耗に耐える硬化された鋼鉄製、ポリウレタン、または他の適切な材料のボール１９２がレバーの自由端に固定されている。
【００５４】
空洞１９６，１９８がブレーキ支持構造１８０に備えられている。１つの空洞１９６は構造１８０の曲線上部表面２０２から中へ形成され、これは圧電ブザー１９７および電子回路板２０４を収容している。もう1つの空洞１９８は側面２００から中へ形成され、これは電池１９９を収容する。空洞１９６および１９８は各々適切なタイプの防水カバーを有している。代わりに、もう1つのバージョンでは、電池１９９はゴムの制動ブロック１９４を取り外したときにアクセスできる空洞中に保持されてもよく、そのようなブロックは定期的な取り替えのために取り外しできるようにされている。スイッチ１９０は側面２００の表面に取り付けられた薄いケースを含んでいる。
【００５５】
図１４を参照して、示されている実施例はハンドルバーの管の外部の握りの構造の中に雑音を生成する全ての部品が埋め込まれた本体を有する握りである。握りの本体は図１および３を参照して説明された実施例と比較してかなり大きな体積を有している。その理由は電池２２０、圧電ブザー２２２、スイッチ２２４集積回路（図示されていない）、補完お小さな電気部品（図示されていない）および電気接続線（図示されていない）の全てを含むためには握りの材料に十分な厚みが必要だからである。回路は図２で示されたのと同様である。蝶番付きの電池カバー２２８が電池２２０の交換を可能にするために持ち上げられた位置で示されている。
【００５６】
図１４に示された握りを製造するためには、電池２２０を除いた全ての部品が電気的に接続され、金型の中に設置され、金型を閉じて適切な発泡材料で満たされる。電池を固定したり置換えたりすることができるように受け台が蝶番付きの電池カバーの下部にモールド成形される。
【００５７】
この実施例の利点は全ての電気接続がモールド成形された握りの中でかなり強固に保持されることである。これに対して、図１および３で示された実施例は線３８および導体ストリップ２４を使用して、より露出されたコンタクトおよびもろい配線と接続を有している。しかしながら主要な短所は握り材料が部品の回りに注入モールド成形されているので、部品を位置に正しく保持することが複雑なことである。
【００５８】
上記の説明は発明の好ましい実施例を含んでいるが、発明の基本的な特徴または精神と範囲から逸脱することなく、上記に説明された構成と部品の配置に多くの変形、変更、修正および／または追加を導入することが可能である。
【００５９】
例えば、スケートボードに関連した上記実施例の説明において、スイッチはスケートボードの主本体の中に切られた窪みに配置されているが、例えば使用されるスイッチが特に平らであれば窪みは必要ないかもしれない。また、上記で説明された音響放射デバイスの好ましいカバーは防水プラスチックフィルムまたは類似のものであるが発明はその代わりにワイヤーメッシュのような孔あきカバーで覆われてもよい。これは防水カバーを提供しないけれども、音響放射器によって生成された音響の可聴性を改良できる。音響放射器が独立に防水されている場合にはこれは特に適用可能である。
【００６０】
ローラーブレードに関連する上記の実施例では音響放射デバイスの部品は靴の背後に取り付けられたブレーキ支持構造の中に搭載されている。部品は代わりに靴の他のどこにでも組み込むことができ、このことはブレーキブロックが靴に配備されていないときは（このときだけに限らないが）特に当てはまる。そのような状況ではレバー８４は靴底または車輪を搭載するフレームのいずれかから下方かつ後方に突き出す。
【００６１】
また上記の実施例は音響放射器としてブザーを説明しているが、本発明は代わりに音響放射器として適切な大きさのラウドスピーカを使用してもよい。このようにして放射される音響はメロディ、またはその他の予め定められた一連の楽譜、または予め録音された音でもよい。電気回路は消去可能なプログラマブル・リードオンリー・メモリ（ＥＰＲＯＭ)チップを含み、使用者自身が個々に選択したメロディ、または音響をEPROMに記録し、スイッチが押されたときに再生することが可能なように配置されていてもよい。
【００６２】
この明細書の中で用語「含む」またはその変形が使用されているが文章が他のことを要求しない限り、その使用は記述された特徴が含まれていることを意味し、その他の特徴または複数の特徴を排除するものではないことは理解される。
【００６３】
この明細書の中での全ての従来技術の参照はそのような従来技術がオーストラリアで共通の一般知識を形成することを認めるか、または示唆するものではないし、そのように解釈されるべきではない。
【図面の簡単な説明】
【００６４】
【図１】発明の第１の適合として自転車のハンドルバーに使用された第1実施例の断面図である。
【図２】図１で示された発明の実施例の中で使用された電子部品の回路図である。
【図３】第1適合の第２実施例の断面図を示し、一部が電池交換の位置に移動された様子を示す。
【図４】図２に示されたいくつかの部品の展開透視図である。
【図５】図３に示された配置図で異なった角度から示された図である。
【図６】発明の第２適合の第１実施例を組み込んだスケートボードの展開透視図である。
【図７】発明の第２適合の第２および好ましい実施例を組み込んだスケートボードの展開透視図である。
【図８】図７の一部拡大図である。
【図９】図７の一部拡大図である。
【図１０】発明の第３適合から１つの実施例を組み込んだローラーブレード（インラインローラースケート）の側面図である。
【図１１】図１０のローラーブレードを示す側面図でその中に組み込まれた警報デバイスを作動するために後へ傾けた様子を示している。
【図１２】図１０に示されたローラーブレードの一部の上から見下ろした透視図で、制動アセンブリおよび通常の滑降位置にあるローラーブレードを示している。
【図１３】図１２で示された制動アセンブリの側面図である。
【図１４】発明の第４適合を組み込んだ握りの一部透明な透視図である。
【国際公開パンフレット】
2005506161.tif 000003
2005506161.tif 000004
2005506161.tif 000005
2005506161.tif 000006
2005506161.tif 000007
2005506161.tif 000008
2005506161.tif 000009
2005506161.tif 000010
2005506161.tif 000011
2005506161.tif 000012
2005506161.tif 000013
2005506161.tif 000014
2005506161.tif 000015
2005506161.tif 000016
2005506161.tif 000017
2005506161.tif 000018
2005506161.tif 000019
2005506161.tif 000020
2005506161.tif 000021
2005506161.tif 000022
2005506161.tif 000023
2005506161.tif 000024
2005506161.tif 000025
2005506161.tif 000026
2005506161.tif 000027
2005506161.tif 000028
2005506161.tif 000029
2005506161.tif 000030
2005506161.tif 000031
2005506161.tif 000032
2005506161.tif 000033
2005506161.tif 000034
2005506161.tif 000035
2005506161.tif 000036
【国際調査報告】
2005506161.tif 000037
2005506161.tif 000038